(57)【要約】【課題】移動通信端末機に登録された複数の通話グループのうちデフォルトとして設定された通話グループを位置情報に応じて変更することによって、ＰＴＴサービスに対する使用者の便利性を向上させることができる移動通信端末機の通話グループを変更するシステム及びその方法を提供する。【解決手段】移動通信端末機の通話グループを変更するシステムは、移動通信端末機の位置情報に基づいて通話グループの変更を要請するメッセージを送信するＰＴＴサーバーと、前記送信されたメッセージに基づいて通話グループの変更を承認するメッセージを伝送する移動通信端末機と、を含む。【選択図】図１
2006191563.tif 000002
【特許請求の範囲】
【請求項１】
移動通信端末機の位置情報に基づいて通話グループの変更を要請するメッセージを送信するＰＴＴサーバーと、
前記送信されたメッセージに基づいて通話グループの変更を承認するメッセージを伝送する移動通信端末機と、
を含むことを特徴とする移動通信端末機の通話グループを変更するシステム。
【請求項２】
前記移動通信端末機の位置情報を検出し、前記検出された位置情報を前記ＰＴＴサーバーに伝送する基地局をさらに含むことを特徴とする請求項１に記載の移動通信端末機の通話グループを変更するシステム。
【請求項３】
前記ＰＴＴサーバーは、前記移動通信端末機の位置情報によって少なくとも１つ以上の受信側移動通信端末機を含む複数の通話グループを貯蔵することを特徴とする請求項１に記載の移動通信端末機の通話グループを変更するシステム。
【請求項４】
前記移動通信端末機は、前記送信されたメッセージに基づいて通話グループの変更を知らせるメッセージをディスプレイすることを特徴とする請求項１に記載の移動通信端末機の通話グループを変更するシステム。
【請求項５】
前記通話グループは、デフォルトとして設定された通話グループであることを特徴とする請求項１に記載の移動通信端末機の通話グループを変更するシステム。
【請求項６】
複数の通話グループのうち第１通話グループが通話グループとして設定された移動通信端末機の位置情報を検出する検出段階と、
前記検出された移動通信端末機の位置情報に基づいて前記設定された通話グループを第２通話グループに変更する変更段階と、
を含むことを特徴とする移動通信端末機の通話グループを変更する方法。
【請求項７】
前記変更段階は、
前記検出された移動通信端末機の位置情報に基づいて前記通話グループとして設定された第１通話グループの変更を要請するメッセージを送信する送信段階と、
前記送信されたメッセージに対応する第１通話グループの変更を承認するメッセージを受信する受信段階と、
前記受信されたメッセージに基づいて前記設定された通話グループを第２通話グループに変更する変更段階と、を含むことを特徴とする請求項６に記載の移動通信端末機の通話グループを変更する方法。
【請求項８】
前記複数の通話グループは、前記移動通信端末機の位置情報によって少なくとも１つ以上の受信側移動通信端末機を含むことを特徴とする請求項６に記載の移動通信端末機の通話グループを変更する方法。
【請求項９】
前記変更段階は、使用者の選択や前記移動通信端末機により自動に変更することを特徴とする請求項７に記載の移動通信端末機の通話グループを変更する方法。
【請求項１０】
前記通話グループは、デフォルトとして設定された通話グループであることを特徴とする請求項６に記載の移動通信端末機の通話グループを変更する方法。
【発明の詳細な説明】
【技術分野】
【０００１】
本発明は、移動通信端末機に関し、特に、ＰＴＴ（Ｐｕｓｈ  Ｔｏ  Ｔａｌｋ：  以下、ＰＴＴと称する）サービスに対する使用者の便利性を向上し得る移動通信端末機の通話グループを変更するシステム及びその方法に関する。
【背景技術】
【０００２】
最近の移動通信端末機は、機能の進歩につれて、単純な無線通信手段を超越してカメラ機能、マルチメディア再生機能のような無線通信以外の機能が付加されている。このようなカメラ機能及びマルチメディア再生機能は、移動通信端末機のディスプレイ装置の改善と高速通信の実現により、次第に大衆化されている高級機能であり、以上のカメラ機能及びマルチメディア再生機能を具現し得る高解像度のデジタルカメラ及びカラー液晶表示装置（Ｌｉｑｕｉｄ  Ｃｒｙｓｔａｌ  Ｄｉｓｐｌａｙ：  ＬＣＤ）画面を備えた移動通信端末機は、既に一般化されている。
【０００３】
合わせて、ＰＴＴサービスを提供する移動通信端末機の開発が活発に進行され、前記ＰＴＴサービスは、無電機サービスのように発言権が一人にのみ与えられる半二重（Ｈａｌｆ−Ｄｕｐｌｅｘ）通信方式で、一対一（Ｏｎｅ−ｔｏ−Ｏｎｅ）または一対多（Ｏｎｅ−ｔｏ−Ｍａｎｙ）の通話サービスを提供する。
【０００４】
このとき、両方向通信（Ｆｕｌｌ−Ｄｕｐｌｅｘ）は、話し手と聞き手の区分なしに自由に通話ができるが、前記ＰＴＴサービスのような半二重通信は、話し手と聞き手の区分が明確で、発言権を有した使用者のみが話し手になることができる。
【０００５】
図３は、従来技術による移動通信端末機のＰＴＴサービスを提供するシステムの動作原理を説明するための図である。
【０００６】
図３に示すように、従来技術による移動通信端末機のＰＴＴサービスを提供するシステムは、使用者の選択によりデフォルトとして設定された通話グループの変更を要請するメッセージを送信する移動通信端末機１０と、前記送信されたメッセージを伝送する基地局２０と、前記伝送されたメッセージに基づいて前記デフォルトとして設定された通話グループの変更を承認するメッセージを送信するＰＴＴサーバー３０と、を含む。
【０００７】
以下、このように構成された従来技術による移動通信端末機のＰＴＴサービスを提供する方法を説明する。
【０００８】
図４は、従来技術による移動通信端末機のＰＴＴサービスを提供する方法を示すフローチャートである。
【０００９】
図４に示すように、従来技術による移動通信端末機のＰＴＴサービスを提供する方法は、使用者の要請によりデフォルトとして設定された第１通話グループの変更を要請するメッセージを送信する段階（Ｓ２１）と、前記送信されたメッセージに基づいてデフォルトとして設定された第１通話グループの変更を承認するメッセージを受信する段階（Ｓ２３）と、前記受信されたメッセージに基づいて第２通話グループをデフォルトに変更する段階（Ｓ２５）と、を含む。
【００１０】
以下、このような従来技術による移動通信端末機のＰＴＴサービスを提供する方法を詳細に説明する。
【００１１】
まず、移動通信端末機１０が少なくとも１つ以上の受信側移動通信端末機を含む複数の通話グループを使用者から入力されることで、前記入力された複数の通話グループは移動通信端末機１０及びＰＴＴサーバー３０にそれぞれ登録され、使用者の選択により前記登録された複数の通話グループのうち第１通話グループがデフォルトとして設定される。
【００１２】
次に、移動通信端末機１０は、前記デフォルトとして設定された第１通話グループを変更しようとする時、前記デフォルトとして設定された第１通話グループの変更を要請するメッセージを基地局２０に送信し、基地局２０は、前記送信されたメッセージをＰＴＴサーバー３０に伝送する（Ｓ２１）。
【００１３】
ＰＴＴサーバー３０は、前記伝送されたメッセージに基づいて前記デフォルトとして設定された第１通話グループの変更を承認するメッセージを基地局２０に送信し、基地局２０は、前記送信されたメッセージを移動通信端末機１０に伝送する（Ｓ２３）。
【００１４】
従って、移動通信端末機１０は、前記伝送されたメッセージに基づいて前記デフォルトとして設定された第１通話グループを第２通話グループに変更することで、前記デフォルトとして設定された第２通話グループに含まれる受信側移動通信端末機等と通信することができる（Ｓ２５）。
【００１５】
しかしながら、従来技術による移動通信端末機のＰＴＴサービスを提供するシステムは、移動通信端末機に登録された複数の通話グループのうちデフォルトとして設定された通話グループを使用者の選択にによって変更することによって、デフォルトとして設定された通話グループを変更しようとする度に、使用者がいちいち変更しなければならないため、不便であるという問題点があった。
【発明の開示】
【発明が解決しようとする課題】
【００１６】
従って、本発明の目的は、移動通信端末機に登録された複数の通話グループのうちデフォルトとして設定された通話グループを位置情報に応じて変更することによって、ＰＴＴサービスに対する使用者の便利性を向上させることができる移動通信端末機の通話グループを変更するシステム及びその方法を提供することにある。
【課題を解決するための手段】
【００１７】
このような目的を達成するために、本発明による移動通信端末機の通話グループを変更するシステムは、移動通信端末機の位置情報に基づいて通話グループの変更を要請するメッセージを送信するＰＴＴサーバーと、前記送信されたメッセージに基づいて通話グループの変更を承認するメッセージを伝送する移動通信端末機と、を含むことを特徴とする。
【００１８】
このような目的を達成するために、本発明による移動通信端末機の通話グループを変更する方法は、複数の通話グループのうち第１通話グループが通話グループとして設定された移動通信端末機の位置情報を検出する検出段階と、前記検出された移動通信端末機の位置情報に基づいて前記設定された通話グループを第２通話グループに変更する変更段階と、を含むことを特徴とする。
【００１９】
上記目的を達成するために、本発明は、例えば、以下の手段を提供する。
【００２０】
（項目１）
移動通信端末機の位置情報に基づいて通話グループの変更を要請するメッセージを送信するＰＴＴサーバーと、
前記送信されたメッセージに基づいて通話グループの変更を承認するメッセージを伝送する移動通信端末機と、
を含むことを特徴とする移動通信端末機の通話グループを変更するシステム。
【００２１】
（項目２）
前記移動通信端末機の位置情報を検出し、前記検出された位置情報を前記ＰＴＴサーバーに伝送する基地局をさらに含むことを特徴とする項目１に記載の移動通信端末機の通話グループを変更するシステム。
【００２２】
（項目３）
前記ＰＴＴサーバーは、前記移動通信端末機の位置情報によって少なくとも１つ以上の受信側移動通信端末機を含む複数の通話グループを貯蔵することを特徴とする項目１に記載の移動通信端末機の通話グループを変更するシステム。
【００２３】
（項目４）
前記移動通信端末機は、前記送信されたメッセージに基づいて通話グループの変更を知らせるメッセージをディスプレイすることを特徴とする項目１に記載の移動通信端末機の通話グループを変更するシステム。
【００２４】
（項目５）
前記通話グループは、デフォルトとして設定された通話グループであることを特徴とする項目１に記載の移動通信端末機の通話グループを変更するシステム。
【００２５】
（項目６）
複数の通話グループのうち第１通話グループが通話グループとして設定された移動通信端末機の位置情報を検出する検出段階と、
前記検出された移動通信端末機の位置情報に基づいて前記設定された通話グループを第２通話グループに変更する変更段階と、
を含むことを特徴とする移動通信端末機の通話グループを変更する方法。
【００２６】
（項目７）
前記変更段階は、
前記検出された移動通信端末機の位置情報に基づいて前記通話グループとして設定された第１通話グループの変更を要請するメッセージを送信する送信段階と、
前記送信されたメッセージに対応する第１通話グループの変更を承認するメッセージを受信する受信段階と、
前記受信されたメッセージに基づいて前記設定された通話グループを第２通話グループに変更する変更段階と、を含むことを特徴とする項目６に記載の移動通信端末機の通話グループを変更する方法。
【００２７】
（項目８）
前記複数の通話グループは、前記移動通信端末機の位置情報によって少なくとも１つ以上の受信側移動通信端末機を含むことを特徴とする項目６に記載の移動通信端末機の通話グループを変更する方法。
【００２８】
（項目９）
前記変更段階は、使用者の選択や前記移動通信端末機により自動に変更することを特徴とする項目７に記載の移動通信端末機の通話グループを変更する方法。
【００２９】
（項目１０）
前記通話グループは、デフォルトとして設定された通話グループであることを特徴とする項目６に記載の移動通信端末機の通話グループを変更する方法。
【発明の効果】
【００３０】
本発明による移動通信端末機の通話グループを変更するシステム及びその方法は、移動通信端末機に登録された少なくとも１つ以上の通話グループのうちいずれか１つを予め設定された条件に応じて選択することによって、ＰＴＴサービスに対する使用者の便利性を向上させることができるという効果がある。
【発明を実施するための最良の形態】
【００３１】
以下、移動通信端末機に登録された複数の通話グループのうちデフォルトとして設定された通話グループを位置情報に応じて変更することにより、ＰＴＴサービスに対する使用者の利便性を向上させることができる、本発明による移動通信端末機の通話グループを変更するシステム及びその方法に対する望ましい実施形態を図面を参照して詳細に説明する。
【００３２】
図１は、本発明による移動通信端末機の通話グループを変更するシステムの動作原理を説明するための図である。
【００３３】
図１に示すように、本発明による移動通信端末機の通話グループを変更するシステムは、移動通信端末機の位置情報を検出し、前記検出された位置情報を伝送する基地局２０と、前記伝送された位置情報に基づいてデフォルトとして設定された通話グループの変更を要請するメッセージを送信するＰＴＴサーバー３０と、前記送信されたメッセージに基づいて前記デフォルトとして設定された通話グループの変更を承認するメッセージを伝送する移動通信端末機１０と、を含む。
【００３４】
以下、このように構成された本発明による移動通信端末機の通話グループを変更する方法を説明する。
【００３５】
図２は、本発明による移動通信端末機の通話グループを変更する方法を示すフローチャートである。
【００３６】
図２に示すように、本発明による移動通信端末機の通話グループを変更する方法は、第１通話グループがデフォルトとして設定された移動通信端末機の位置情報を検出する段階（Ｓ４１）と、前記検出された位置情報に基づいて前記デフォルトとして設定された第１通話グループの変更を要請するメッセージを送信する段階（Ｓ４３）と、前記送信されたメッセージに対応する第１通話グループの変更を承認するメッセージを受信する段階（Ｓ４５）と、前記受信されたメッセージに基づいて第２通話グループをデフォルトに変更する段階（Ｓ４７）と、を含む。
【００３７】
以下、このような本発明による移動通信端末機の通話グループを変更する方法を詳細に説明する。
【００３８】
まず、移動通信端末機１０が少なくとも１つ以上の受信側移動通信端末機を含む複数の通話グループを使用者から入力されることで、前記入力された複数の通話グループは移動通信端末機１０及びＰＴＴサーバー３０にそれぞれ登録され、前記登録された複数の通話グループのうちいずれか１つの通話グループが使用者の選択によりデフォルトとして設定される。このとき、前記複数の通話グループは、移動通信端末機１０の位置情報に応じて互いに異なって設定される。
【００３９】
例えば、前記位置情報による複数の通話グループを次の表１のように予め設定することができる。
【００４０】
（表１）
【００４１】
【表１】
2006191563.tif 000003
ここで、移動通信端末機１０は、前記複数の通話グループのうち第１通話グループをデフォルトとして設定することが望ましく、前記複数の通話グループは、前記第１通話グループ、前記第２通話グループ、前記第３通話グループを位置情報により区分することができるが、前述した形態以外にも多様な条件を通じて容易に追加できることが分かる。
【００４２】
従って、移動通信端末機１０は、前記位置情報に基づいて前記登録された複数の通話グループのうち前記デフォルトとして設定された第１通話グループにログインし、前記ログインされた第１通話グループに含まれる移動通信端末機、即ち、ＭＳ１、ＭＳ２とＰＴＴサービスを通じて通信することができる。
【００４３】
次に、基地局２０は、移動通信端末機１０の位置を周期的に検出する（Ｓ４１）。即ち、基地局２０は、移動通信端末機１０が前記ログインされた第１通話グループの位置情報Ａから位置情報Ｂに移動する時、移動通信端末機１０の位置情報をＰＴＴサーバー３０に伝送する（Ｓ４３）。
【００４４】
ＰＴＴサーバー３０は、前記伝送された位置情報に基づいて現在の通話グループを前記第１通話グループから前記第２通話グループに変更することを要請するメッセージを移動通信端末機１０に伝送する（Ｓ４５）。
【００４５】
このとき、移動通信端末機１０は、前記伝送されたメッセージに基づいて現在の通話グループを前記第１通話グループから前記第２通話グループに変更する（Ｓ４７）。前記現在の通話グループを変更する方式は、（１）前記伝送されたメッセージをディスプレイ装置にディスプレイすることで、使用者の選択によって前記現在の通話グループを前記第１通話グループから前記第２通話グループに変更する方式と、（２）前記伝送されたメッセージに基づいて自動に前記現在の通話グループを前記第１通話グループから前記第２通話グループに変更する方式とに大別される。
【００４６】
移動通信端末機１０が前記デフォルトとして登録された第１通話グループを前記第２通話グループに変更することを承認するメッセージをＰＴＴサーバー３０に伝送するため、ＰＴＴサーバー３０は、前記第２通話グループに基づいて前記第２通話グループに含まれる移動通信端末機、即ち、ＭＳ３、ＭＳ４、ＭＳ５にＰＴＴサービスを提供することができる。
【００４７】
従って、移動通信端末機１０は、前記予め設定された条件に応じて少なくとも１つ以上の通話グループを登録することによって、前記予め設定された条件の変化に応じて前記デフォルトとして設定された第１通話グループを前記第２通話グループに変更することができる。
【００４８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４９】
移動通信端末機に登録された複数の通話グループのうちデフォルトとして設定された通話グループを位置情報に応じて変更することによって、ＰＴＴサービスに対する使用者の便利性を向上させることができる移動通信端末機の通話グループを変更するシステム及びその方法を提供する。
【００５０】
移動通信端末機の通話グループを変更するシステムは、移動通信端末機の位置情報に基づいて通話グループの変更を要請するメッセージを送信するＰＴＴサーバーと、前記送信されたメッセージに基づいて通話グループの変更を承認するメッセージを伝送する移動通信端末機と、を含む。
【図面の簡単な説明】
【００５１】
【図１】本発明による移動通信端末機の通話グループを変更するシステムの動作原理を説明するための図である。
【図２】本発明による移動通信端末機の通話グループを変更する方法を示すフローチャートである。
【図３】従来技術による移動通信端末機のＰＴＴサービスを提供するシステムの動作原理を説明するための図である。
【図４】従来技術による移動通信端末機のＰＴＴサービスを提供する方法を示すフローチャートである。
【符号の説明】
【００５２】
１０  移動通信端末機
２０  基地局
３０  ＰＴＴ（Ｐｕｓｈ  Ｔｏ  Ｔａｌｋ）サーバー
【図１】
2006191563.tif 000004
【図２】
2006191563.tif 000005
【図３】
2006191563.tif 000006
【図４】
2006191563.tif 000007